(57)【要約】【課題】煙が充満した室から脱出避難をする際に使用する濡れタオルを、電気及び水道等を使用しないで作成できる濡れタオル製造装置を提供すること。【解決手段】箱型であって正面及び上面が開放されており内部に仕切り板を設けた装置主体１０を備える。装置主体１０の正面及び上面は閉塞し装置主体に着脱自在に設けた蓋板４０によって水収容部２０を形成する。装置主体１０の正面下方を閉塞し装置主体に開閉自在に設けた前扉５０によってタオル収容部３０を形成する。水収容部２０にペットボトル６０を収容すると共にタオル収容部３０に乾いたタオル７０を収容する。装置主体１０の仕切り板１１には散水孔１６を形成する。ハンドル２８を回動して突刺し刃体２７によってペットボトル６０の水を仕切り板１１上に流出させる。仕切り板１１の散水孔１６からタオル収容部３０に収容したタオル７０に水を散水して乾いたタオルから濡れタオルを作成する。【選択図】      図３
2005006900.tif 000002
【特許請求の範囲】
【請求項１】
箱型であって正面および上面が開放されており内部に仕切り板（１１）を設けた装置主体（１０）を備え、上記装置主体の正面及び上面を閉塞し該装置主体に着脱自在に設けた蓋板（４０）によって当該装置主体の上方部分に水収容部（２０）を形成し、上記装置主体の正面下方を閉塞し該装置主体に開閉自在に設けた前扉（５０）によって当該装置主体の下方部分にタオル収容部（３０）を形成し、上記水収容部にペットボトルを収容すると共に該水収容部に収容したペットボトルを突き破る刃体を有する水排出装置（２４）を設け、上記タオル収容部に複数枚の乾いたタオルを収容し、上記装置主体の仕切り板に散水孔（１６）を形成し、上記水排出装置によってペットボトルを突き破ってボトル内の水を上記仕切り板上に流出させ、当該仕切り板の散水孔から上記タオル収容部に収容したタオルに水を供給して濡れタオルを製造することを特徴とする濡れタオル製造装置。
【請求項２】
水排出装置（２４）は、水収容部（２０）に設置した水収容枠体（２１）に設けられており、該水収容枠体に第１及び第２の透孔（２５，２５ａ）を互いに斜状位置に形成し、該第１及び第２の透孔に隣接し先端に当該第１及び第２の透孔内に臨ませた突刺し刃体（２７，２７ａ）を有する第１及び第２のハンドル（２８，２８ａ）を回動自在に設け、上記水収容枠体内に収容したペットボトルを当該水排出装置によって突き破りボトル内の水を放出することを特徴とする請求項１に記載の濡れタオル製造装置。
【請求項３】
散水孔（１６）は、仕切り板（１１）に設けた散水誘導溝（１７）の底部に複数個が形成されていることを特徴とする請求項１又は２に記載の濡れタオル製造装置。
【請求項４】
蓋板（４０）の窓孔（４４）は、容易に破ることができる閉塞用紙（４５）で塞いでおくことを特徴とする請求項１から３のいずれかに記載の濡れタオル製造装置。
【発明の詳細な説明】
【０００１】
【発明の属する技術分野】
本発明は、火災の発生などで煙が充満している室内から脱出避難をする際に使用する濡れタオル製造装置に関している。
【０００２】
【従来の技術】
火災の発生などにより煙が充満している室内から脱出避難をする場合は、煙を吸い込まないようにすることが望ましいことは勿論である。また、煙が充満している室内から安全に脱出避難できるようにするための避難誘導装置や避難設備の開発がなされているが、これらの装置・設備は、設置費用が高いこともあって全ての職場や学校に設置されていないのが実情である。
【０００３】
ところで、煙が充満している時は、濡れたタオルなどで口鼻を覆い、可能な限り煙を吸い込まないようにして脱出避難する方法が古くから知られているが、火災発生時に、濡れたタオルが身近なところにあると限らないので、このような緊急時に濡れタオルが簡単に製造できれば、危険区域から安全にかつ素早く脱出避難ができ、人名救助にも大いに貢献できるものである。
【０００４】
【特許文献１】
特開２００３−６２０９６公報
【０００５】
上記の特許文献１に記載の発明は、使用者の口部及び鼻部を覆う口鼻マスク１０を備えたものであって、使用者の顔面に密閉じょうに当接するパッド部１２を有する筒状体１１と、パッド部１２の反対側に位置する開口部１３に装着される防煙キャニスタ２０を備え、キャニスタ２０は有毒ガスを無害化する複数層構造とし、筒状体１１には酸素吸気口６０を取り付けて別途設けた酸素ガスカートリッジ６１に開閉自在に結合させたものである。
【０００６】
特許文献１の発明は、火災発生時の有毒ガス・煙及び酸欠対策に効果てきであり、ワンタッチ装着が可能なので行動の制約を最小とし、緊急時に素早く対応できること、また、酸素ガスカートリッジ並びに酸素吸気口の採用により、例えば１０分間といった所定時間内での呼吸および活動が容易となることの特徴を有している。しかし、このような設備は、１人に１個ずつ用意する必要があるので、多数の人が集まる職場または学校においては、人数分の設備を用意することが経済的にも困難なことが多い。
【０００７】
【発明が解決しようとする課題】
本発明の課題は、火災などにより室内に煙が充満した際に、複数枚の濡れタオルを簡単に製造することができる濡れタオル製造装置を提供しようとするものである。
【０００８】
【課題を解決するための手段】
解決手段は、箱型であって正面および上面が開放されており内部に仕切り板を設けた装置主体を備え、上記装置主体の正面及び上面を閉塞し該装置主体に着脱自在に設けた蓋板によって当該装置主体の上方部分に水収容部を形成し、上記装置主体の正面下方を閉塞し該装置主体に開閉自在に設けた前扉によって当該装置主体の下方部分にタオル収容部を形成し、上記水収容部にペットボトルを収容すると共に該水収容部に収容したペットボトルを突き破る刃体を有する水排出装置を設け、上記タオル収容部に複数枚の乾いたタオルを収容し、上記装置主体の仕切り板に散水孔を形成し、上記水排出装置によってペットボトルを突き破ってボトル内の水を上記仕切り板上に流出させ、当該仕切り板の散水孔から上記タオル収容部に収容したタオルに水を供給して濡れタオルを製造することを特徴とするものである。
また、水排出装置は、水収容部に設置した水収容枠体に設けられており、該水収容枠体に第１及び第２の透孔を互いに斜状位置に形成し、該第１及び第２の透孔に隣接し先端に当該第１及び第２の透孔内に臨ませた突刺し刃体を有する第１及び第２のハンドルを回動自在に設け、上記水収容枠体内に収容したペットボトルを当該水排出装置によって突き破りボトル内の水を放出することを特徴とするものである。
また、散水孔は、仕切り板に設けた散水誘導溝の底部に複数個が形成されていることを特徴とするものである。
さらにまた、蓋板の窓孔は、容易に破ることができる閉塞用紙で塞いでおくことを特徴とするものである。
【０００９】
【発明の実施の形態】
図１は濡れタオル製造装置の全体図、図２はタオル収納部の前扉を開けた図、図３は装置全体の断面図、図４は装置全体の他の断面図、図５は装置内の仕切り板を示す平面及び断面図、図６は装置内に収容したペットボトルを突刺す状態を示す断面図、図７は装置主体と蓋板を分離した斜視図、図８はペットボトルを突刺す機構を示す斜視図である。
【００１０】
これらの図において、濡れタオル製造装置は、箱型に形成された装置主体１０を有し、該装置主体１０は内部に設けた仕切り板１１の上方部分を水収容部２０に形成し、下方部分をタオル収容部３０に形成したものである。また、装置主体１０は、側板１２及び背板１３を有しているが、正面および上面は開放されているものであって、上記水収容部２０を構成する正面及び上面に倒立したＬ字状を呈する蓋板４０を設け、上記タオル収容部３０となる正面に前扉５０を設けたものである。なお、装置主体１０には、底板１４が設けられており、これら各部材によって当該装置主体１０は密閉された箱に形成されている。
【００１１】
上記水収容部２０は、装置主体１０の仕切り板１１と蓋板４０によって形成される空間であって、該水収容部２０を形成する蓋板４０は、倒立したＬ字状を呈するように正面板４１と天板４２を有しており、装置主体１０の両側中程と両側上端の各縁部に設けた止め金具１５と係合して当該蓋板４０を着脱自在に固定するための止金具受け４３を設けている。また、正面板４１には、窓孔４４が設けられており、該窓孔４４から手を差し込んで後に詳しく説明する水出し操作を行う。なお、窓孔４４は、手が差し込める大きさを有しており、該窓孔４４は閉塞用紙４５により塞いでおく。因みに、閉塞用紙４５は、本装置の操作説明書などを記載したものがよい。
【００１２】
また、上記タオル収容部３０は、装置主体１０の仕切り板１１と底板１４並びに前扉５０によって形成される空間であって、該タオル収容部３０を形成する前扉５０は、装置主体１０の正面下部に蝶番５１によって開閉自在に取り付けられており、装置主体１０の片側下部に設けた第２の止め金具１５ａと係合して当該前扉５０を着脱自在に固定するための止金具受け５２を設けている。
【００１３】
上記水収容部２０には、断面コ字型で上下方向が開放されている水収容枠体２１を装置主体１０の背板１３に固着し、該水収容枠体２１の下端部に網板２２を設けて当該水収容枠体２１内をペットボトル収容室２３に形成している。また、水収容枠体２１の正面には、ペットボトル収容室２３内に収容したペットボトル６０を突き破ってボトル内の水を排出させる刃体を有する水排出装置２４が設けられている。
【００１４】
水排出装置２４は、縦長な２つの透孔２５，２５ａと、該透孔２５，２５ａに隣接して設けた突刺し刃体２７，２７ａを有している。具体的には、第１の透孔２５の下方に設けた軸受け板２６に突刺し刃体２７を設けた第１のハンドル２８を止軸２９により回動自在に取り付け、一方、第２の透孔２５ａには、孔の上方に位置させて設けた軸受け板２６ａに突刺し刃体２７ａを設けた第２のハンドル２８ａを止軸２９ａにより回動自在に取り付けたものである。
【００１５】
実施形態では、第１透孔２５が正面上方に形成され、第２の透孔２５ａが正面下方に形成されているが、これらは、同一線上ではなく相互に斜状に位置して形成されている。また、第１及び第２のハンドル２８，２８ａに設けた突刺し刃体２７，２７ａは、先端が尖った刃物であり、いずれも第１及び第２の透孔２５，２５ａからペットボトル収容室２３内に臨ませている。なお、ペットボトル収容室２３内に収容したペットボトル６０は、例えば、市販されている２リットル入りのものである。
【００１６】
また、実施形態において、第１及び第２のハンドル２８，２８ａの突刺し刃体２７，２７ａのうち、第１のハンドル２８の突刺し刃体２７がペットボトル６０の肩口近くと対応しており、第２のハンドル２８ａの突刺し刃体２７ａがペットボトル６０の底部近くと対応している。図３は、第１及び第２のハンドル２８，２８ａを使用しない状態を示しているが、この状態で、当該第１及び第２のハンドル２８，２８ａは蓋板４０の内側に格納されるようになっている。
【００１７】
上記タオル収容部３０を区画形成する仕切り板１１には、水収容部２０内に流出した水を当該タオル収容部３０内に散水するための複数の散水孔１６を設けると共に、当該タオル収容部３０内に複数枚の乾いたタオル７０を収容している。
実施形態において、タオル７０は片側に１５枚ずつ、全部で３０枚程度を収容しておく。これにより実施形態では、２リットル入りのペットボトル６０の水で３０人分の濡れタオルが作成できるものとなっている。
【００１８】
上記散水孔１６は、仕切り板１１の表面に形成した散水誘導溝１７の底部に設けられている。散水誘導溝１７は、仕切り板１１の表面に平面視十字形状の溝を２つ並列して設けたものであり、散水孔１６は当該散水誘導溝１７に適宜間隔で形成されている。このため、水収容部２０から放出された水は、いったん散水誘導溝１７に供給されてから、散水孔１６を介してタオル収容部３０に散水されるから、散水誘導溝１７に供給された時点で全ての散水孔１６に水が供給され、当該散水孔１６からは均一に水が散水される。このため、タオル７０には、水が均一に散水されるものであり、少ない水で多数枚の濡れタオルを作成することができる。
【００１９】
次に、本装置の作用を説明する。まず蓋板４０は、止め金具１５と止金具受け４３の係合を外して装置主体１０から分離し、また前扉５０は、第２の止め金具１５ａと止金具受け５２の係合を外し蝶番５１によりタオル収容部３０を開放する。次いで、水収容部２０に設けた水収容枠体２１の上部開放から２リットル入りのペットボトル６０を挿入する。水収容枠体２１の下端には網板２２が設けられているので、ペットボトル６０は該水収容枠体２１内に収容される。この時、第１及び第２のハンドル２８，２８ａは、何れも垂直方向に向けてそれぞれの突刺し刃体２７，２７ａを第１及び第２の透孔２５，２５ａを介してペットボトル６０に臨ませている。
【００２０】
また、蓋板４０に設けた窓孔４４には、本装置を操作する手順を記載した閉塞用紙４５を貼付する。閉塞用紙４５は、使用時には破くこと、窓孔４４から見えるハンドルは第１のハンドル２８を先に引き起こすこと、続いて第２のハンドル２８ａを引き起こすことなどの操作手順を記載しておく。水収容枠体２１内にペットボトル６０を収容し、蓋板４０の窓孔４４に閉塞用紙４５を貼付した後、当該蓋板４０を装置主体１０に装着し止め金具１５により固定する。
【００２１】
一方、タオル収容部３０には、乾いたタオル７０を全部で３０枚程度を畳んで収容し、前扉５０を閉め、第２の止め金具１５ａによって固定する。
【００２２】
本装置は、室内の適宜なところに設置されるのであるが、例えば、消火器などが設置されている所に隣接して設置されるとよい。ここで、火災などの発生により室内に煙が充満してきたら、蓋板４０の閉塞用紙４５を破り、第１のハンドル２８を引き起こして突刺し刃体２７をペットボトル６０の肩口に突き刺し空気口を確保する（図６Ａ参照）。次いで、第２のハンドル２８ａを引き起こして突刺し刃体２７ａをペットボトル６０の底部近くに突き刺す（図６Ｂ参照）。これによって、ペットボトル６０内の水がボトル容器から排出し、網板２２を通って仕切り板１１に流出してくる。
【００２３】
上記したハンドル操作と同時に、第２の止め金具１５ａを外し、前扉５０は開放しておく。一方、仕切り板１１には、散水誘導溝１７並びに散水孔１６が形成されているから、該仕切り板１１に流出した水は、いったん散水誘導溝１７に供給され、次いで散水孔１６からタオル収容部３０内のタオル７０に散水され、タオル７０を濡れタオルに形成する。なお、第２のハンドル２８ａの突刺し刃体２７ａをペットボトル６０に突き刺すと水はボトルから放出するが、仕切り板１１から散水する水の量が不足してタオルが十分濡れないときは、第２のハンドル２８ａを少しずつ戻し、突刺し刃体２７ａによって開口した水の放出口の大きさを調整して水の放出量を調整する。
【００２４】
発明者の実験では、口鼻を覆うのに適する濡れタオルは、乾いたタオル３０枚と２リットルの水で製造することができた。
【００２５】
本装置で使用する水は、市販品のペットボトルを使用するので入手が容易であり、また、市販のペットボトルには賞味期限が表示されているから、交換時期を予め知ることができ、さらに、市販のペットボトルの賞味期限は２〜３年であるから長期間の使用が可能となるものである。また、本装置においては、タオルに含ませた水を飲んだりすることはないが、濡れタオルは、口鼻に直に当接するので、タオルを濡らす水が飲料水であれば安全性が高いものとなる。
【００２６】
【発明の効果】
本発明は、複数枚の濡れタオル電気または水道を使用しないで素早く製造できるので、火災などの発生により室内に煙が充満した際、たとえ、室内に電気または水道の供給が中断された状態になっても、濡れタオルが簡単容易に製造できるものであって、緊急時の脱出避難の際に有効な効果を発揮する。
【図面の簡単な説明】
【図１】濡れタオル製造装置の全体を示す斜視図。
【図２】濡れタオル製造装置においてタオル収納部の扉を開けた状態を示す斜視図。
【図３】装置全体の断面図。
【図４】装置全体の他の位置における断面図。
【図５】装置内の仕切り板を示しており、Ａは平面図、Ｂは断面図。
【図６】装置内に設置したペットボトルを示しており、Ａはボトル肩口近くを刃体で突刺した状態の斜視図、Ｂはボトル底部近くを刃体で突刺した状態の斜視図。
【図７】装置の主体と蓋板を分離した状態を示す斜視図。
【図８】
ペットボトルの突刺し機構を示す斜視図。
【符号の説明】
１０  装置主体
１１  仕切り板
１２  側板
１３  背板
１４  底板
１５  止め金具
１６  散水孔
１７  散水誘導溝
２０  水収容部
２１  水収容枠体
２２  網板
２３  ペットボトル収容室
２４  水排出装置
２５  透孔
２６  軸受け板
２７  突刺し刃体
２８  ハンドル
２９  止軸
３０  タオル収容部
４０  蓋板
４１  正面板
４２  天板
４３  止金具受け
４４  窓孔
４５  閉塞用紙
５０  前扉
５１  蝶番
５２  止金具受け
６０  ペットボトル
７０  タオル
【図１】
2005006900.tif 000003
【図２】
2005006900.tif 000004
【図３】
2005006900.tif 000005
【図４】
2005006900.tif 000006
【図５】
2005006900.tif 000007
【図６】
2005006900.tif 000008
【図７】
2005006900.tif 000009
【図８】
2005006900.tif 000010